(57)【要約】【課題】網材が取り付け易い建具を提供する。【解決手段】室内側に開く障子と、前記障子の下端部を揺動自在に支持し、前記障子により閉止される開口を備えた枠体と、前記開口を前記障子の室外側にて覆う網、及び、前記網の外周部に設けられ前記網より剛性が高い縁部、を有する網材と、を有し、前記枠体は、前記開口の室内側に前記網材の載置部と、前記開口を覆う状態で前記網材を係止する係止部と、を有し、前記縁部は、前記係止部に係止される被係止部を有する。【選択図】図１
2020186575.tif 000002
【特許請求の範囲】
【請求項１】
室内側に開く障子と、
前記障子の下端部を揺動自在に支持し、前記障子により閉止される開口を備えた枠体と、
前記開口を前記障子の室外側にて覆う網、及び、前記網の外周部に設けられ前記網より剛性が高い縁部、を有する網材と、
を有し、
前記枠体は、前記開口の室内側に前記網材の載置部と、前記開口を覆う状態で前記網材を係止する係止部と、を有し、
前記縁部は、前記係止部に係止される被係止部を有することを特徴とする建具。
【請求項２】
請求項１に記載の建具であって、
前記枠体は、開いた状態の前記障子における上面の延長線上に、前記網材の下端部が収容され、前記載置部を備えた収容部を有し、
前記網材は、開いた前記障子上に載置されると共に前記下端部が前記収容部に収容された状態で、前記障子と共に揺動可能であり、前記障子を閉じた状態で、前記載置部に載置されて前記被係止部が前記係止部に係止されていることを特徴とする建具。
【請求項３】
請求項１または請求項２に記載の建具であって、
前記障子には、当該障子に対する前記網材の傾きを補正するガイドが設けられていることを特徴とする建具。
【請求項４】
請求項１乃至請求項３のいずれかに記載の建具であって、
前記係止部は、面ファスナーの雄係止要素及び雌係止要素のうちのいずれか一方であり、
前記被係止部は、前記雄係止要素及び前記雌係止要素のうちの他方であることを特徴とする建具。
【請求項５】
請求項２乃至請求項４のいずれかに記載の建具における前記網材の固定方法であって、
開いている前記障子上に前記網材を載置する載置ステップと、
前記障子を閉じて前記網材を前記載置部に載置し、前記被係止部を前記係止部に係止する係止ステップと、
を有することを特徴とする網材の固定方法。
【発明の詳細な説明】
【技術分野】
【０００１】
本発明は、室内側に開く障子を有する建具に関する。
【背景技術】
【０００２】
室内側に開く障子を有する建具としては、例えば、躯体に固定される窓枠と、この窓枠にヒンジ機構によって下框が連結され、室内側に倒して開放可能な障子を備えた内倒し窓が知られている(例えば、特許文献１参照)。この内倒し窓に網戸を取り付ける場合には、障子を開き、障子の室外側に上方から網戸を挿入し、窓枠が有する開口部から網戸を室外側へ押し出して取り付けている。
【先行技術文献】
【特許文献】
【０００３】
【特許文献１】特開昭６２−３１６００号公報
【発明の概要】
【発明が解決しようとする課題】
【０００４】
上記従来の建具のように、網戸を取り付ける際に、網戸を窓枠が有する開口部から室外側へ押し出すので、網戸を室外側に誤って落下させる虞がある。特に障子が室内側に開く内倒し窓では、開いた障子が網戸の取り付け作業の妨げとなり作業し辛いので、より障子を落下させる可能性が高いという課題がある。
本発明は、かかる課題に鑑みてなされたものであり、その目的とするところは、網材が取り付け易い建具を提供することにある。
【課題を解決するための手段】
【０００５】
かかる目的を達成するための主たる発明は、室内側に開く障子と、前記障子の下端部を揺動自在に支持し、前記障子により閉止される開口を備えた枠体と、前記開口を前記障子の室外側にて覆う網、及び、前記網の外周部に設けられ前記網より剛性が高い縁部、を有する網材と、を有し、前記枠体は、前記開口の室内側に前記網材の載置部と、前記開口を覆う状態で前記網材を係止する係止部と、を有し、前記縁部は、前記係止部に係止される被係止部を有することを特徴とする建具である。
本発明の他の特徴については、本明細書及び添付図面の記載により明らかにする。
【発明の効果】
【０００６】
本発明によれば、網材が取り付け易い建具を提供することが可能である。
【図面の簡単な説明】
【０００７】
【図１】障子を開いた状態の建具の縦断面図である。
【図２】障子を閉じた状態を示す横断面図である。
【図３】開いた障子に載置される網材を示す図である。
【図４】図２におけるＡ部の拡大図である。
【図５】網材を室外側から見た図である。
【図６】図６（ａ）は、開いた障子上に網材を載置する載置ステップを示す図、図６（ｂ）は、網材の下端部を収容部内に挿入する挿入ステップを示す図、図６（ｃ）は、障子を閉じて網材を取り付ける係止ステップを示す図、図６（ｄ）は、網材が取り付けられて障子が開かれている状態を示す図である。
【図７】図７（ａ）は、ガイドの第１変形例を示す図、図７（ｂ）は、ガイドの第２変形例を示す図である。
【発明を実施するための形態】
【０００８】
以下、本発明の第一実施形態に係る建具について図面を参照して説明する。
本実施形態の建具は、矩形状の枠体に対して、矩形状の障子の下端が揺動自在に支持されており、閉じた状態の障子が揺動し上部側が室内側に移動することにより障子が倒れて開放される内倒し窓用の建具（以下、単に建具という）である。
【０００９】
以下の説明においては、建物等に取り付けられている建具１の上下となる方向を上下方向、左右となる方向を左右方向、奥行き方向を見込み方向として示す。建具１の各部位であっても、また、建具１をなす各部材が単体の状態であっても、取り付けられた状態にて上下方向、左右方向、見込み方向となる方向にて方向を特定して説明する。
【００１０】
建具１は、図１、図２に示すように、矩形状に枠組みされて開口１０ａを形成する枠体１０と、矩形状のガラス２ａの周りを囲む矩形状の框体２０を有し開口１０ａを閉止可能な障子２と、障子２の室外側にて枠体１０に取り付けられる網材３と、を有している。以下の説明においては、枠体１０に対して、閉じた障子２が位置する側を内周側、反対側を外周側とし、框体２０に対しては、ガラス２ａが位置する側が内周側、枠体１０が位置する側を外周側として説明する。
【００１１】
枠体１０は、上下に配置される上枠材１１及び下枠材１２と、左右に配置される２本の縦枠材１３とが枠組みされており、開口１０ａを形成している。各枠材１１、１２、１３はいずれもアルミニウム等の金属製や合成樹脂製の押し出し成形材である。各枠材１１、１２、１３には、外周側に突出して躯体（不図示）に固定され、ヒレ状をなす外周突出部１１ａ、１２ａ、１３ａが室内寄りに設けられている。各外周突出部１１ａ、１２ａ、１３ａは、見込み方向において同じ位置に設けられており、同一平面を形成する。
【００１２】
また、枠体１０には、内周側に突出する内周突出部１１ｂ、１２ｂ、１３ｂが室外寄りに設けられている。各内周突出部１１ｂ、１２ｂ、１３ｂの、突出している先端側すなわち内周側には、閉じた状態の障子２の框体２０に当接されるシール材４が各々ほぼ全長にわたって設けられている。このため、障子２を閉じたときには、矩形状をなす框体２０の室外側の面２ｂにシール材４が全周にわたって当接され気密・水密される。
【００１３】
下枠材１２には、内周突出部１２ｂの先端、すなわち、シール材４よりも内周側に網材３の下端部３ａが収容される溝状の収容部１２ｃが設けられている。また、下枠材１２には、内周突出部１２ｂよりも室内側に、障子２の下端に設けられた被支持部２ｃを揺動自在に支持する揺動支持部１２ｄが設けられている。
【００１４】
収容部１２ｃは、内周突出部１２ｂに設けられているシール材４の嵌合部１２ｅの上側の部位を収容部１２ｃの底部１２ｆとし、底部１２ｆの室内側の縁から上方に延出された室内延出部１２ｇと、底部１２ｆの室外側の縁から上方に延出された室外延出部１２ｈと、室外延出部１２ｈの上縁から室内側に延出された上端延出部１２ｉ、とを有している。室外延出部１２ｈは、室内延出部１２ｇよりも上方まで延出されており、上端延出部１２ｉの先端と、室内延出部１２ｇの先端との間は、室内側に向かって開放された収容部開口１２ｊをなしている。
【００１５】
収容部開口１２ｊは、開いた状態の障子２の上面（室外側の面）２ｂの延長線上に位置するように配置されている。収容部１２ｃには、底部１２ｆ上に網材３が載置される載置部をなす載置部材６が設けられている。載置部材６は、左右方向の長さが下枠材１２よりも短いブロック状をなす部材である。ここで、載置部材６は、必ずしも設けられていなくともよく、載置部材６が設けられていない場合には、底部１２ｆが、網材３が載置される載置部となる。
【００１６】
枠体１０の上枠材１１及び左右の縦枠材１３には、内周突出部１１ｂ、１３ｂの先端、すなわち、シール材４よりも内周側に、網材３を係止する係止部としての面ファスナー５の雌係止要素５ａが室内側に設けられている。すなわち、面ファスナー５の雌係止要素５ａは、枠体１０の室内側に、当該枠体１０が形成する開口１０ａに沿うように、コ字状に配置されている。ここで、上枠材１１、下枠材１２、及び、左右の縦枠材１３が有する内周突出部１１ｂ、１２ｂ、１３ｂの先端にて囲まれている空間が、枠体１０が形成する開口１０ａに相当する。
【００１７】
障子２を構成する框体２０は、上下に配置される上框材２１及び下框材２２と、左右に配置される２本の縦框材２３とを有し、左右の縦框材２３間の上端部間及び下端部間にそれぞれ上框材２１及び下框材２２が介在されて矩形状に框組みされている。上框材２１、下框材２２および２本の縦框材２３はいずれもアルミニウム等の金属製や合成樹脂製の押し出し成形材である。上框材２１、下框材２２および２本の縦框材２３の内周側に設けられた溝部にガラス２ａの外周部がガスケット７を介して収容されている。
【００１８】
上框材２１及び下框材２２と、左右の縦框材２３とが接合された框体２０は、室外側の面２ｂが、同一平面をなすように接合されている。また、下框材２２の外周側には、前述した被支持部２ｃが設けられており、上框材２１には室内側に、上枠材１１に設けられたラッチ係合部１１ｃと解除可能に係合し、障子２を閉じた状態に維持するラッチ機構８が設けられている。
【００１９】
左右の縦框材２３の下端には、図３に示すように、障子２に網材３を取り付ける際に、障子２に対する網材３の位置及び傾きを補正するガイド９が各々設けられている。ガイド９は、例えば、合成樹脂製のブロック状をなしており、左右の縦框材２３の下端に下方から装着され、図４に示すように、縦框材２３の内側でビス止めされるように構成されている。左右の縦框材２３に取り付けられるガイド９は、互いに左右が反転した対称形状をなしている。
【００２０】
ビス止めされたガイド９は、網材３を案内するガイド部９ａが室外側に露出している。ガイド部９ａは、下側が、縦框材２３の長手方向に沿うように網材３を案内する下ガイド部９ｂをなし、下ガイド部９ｂと繋がった上側の部位は、上方に向かって框体２０の外周側に位置するように傾斜する上ガイド部９ｃをなしている。そして、左右の縦框材２３にガイド９を各々取り付けると、２つの下ガイド部９ｂの間隔が、網材３の幅よりも僅かに広く、２つの上ガイド部９ｃ間は、上方に向かって間隔が広がるように構成されている。
【００２１】
網材３は、開口１０ａを覆う網３０と、広げられた網３０の外周部に設けられ矩形状をなす縁部としての網材フレーム３１と、を有している。網材フレーム３１は、合成樹脂等、網３０よりも剛性が高い部材であり、矩形状をなす網３０の各辺に沿って配置される４本のフレーム材３１ａと、隣接するフレーム材３１ａの端部間を連結するする角枠材３１ｂとを有している。フレーム材３１ａと角枠材３１ｂとは、互いに隣接するフレーム材３１ａの端部同士が角枠材３１ｂにより接合されて内側に網枠開口３１ｃが形成されている。網枠開口３１ｃは、枠体１０が形成する開口１０ａよりも小さい。
【００２２】
４本のフレーム材３１ａが接合された網材フレーム３１の室外側の面は、平坦であり、網枠開口３１ｃを室外側から覆う網３０の周縁部が網材フレーム３１に全周にわたって、溶着または接着されている。網３０が取り付けられた網材フレーム３１の室外側の面には、網材フレーム３１に沿って被係止部としての面ファスナー５の雄係止要素５ｂが矩形状をなすように設けられている。面ファスナー５の雄係止要素５ｂは、室外側に突出させて設けられている。ここで、網材３の下端部３ａは、下枠材１２の収容部１２ｃに収容されるため、網材３の下端部側には面ファスナー５の雄係止要素５ｂを設けなくてもよいが、下端部側にも面ファスナー５の雄係止要素５ｂを設けておくことにより、網材３の上下を問わずに取り付けられるので、施工性が向上する。
【００２３】
次に、本実施形態における網材３の固定方法について説明する。網材３は、枠体１０が躯体に固定され、障子２が枠体１０に揺動自在に支持されている状態で取り付ける。
【００２４】
網材３を取り付ける場合には、図６（ａ）に示すように、まず、閉じている障子２の上部に設けられているラッチ機構８を解除し、障子２の上部を室内側に移動して障子２を開いた状態とする(開放ステップ)。このとき、障子２はストッパーにより支持されて、枠体１０に支持されている障子２の下端側が、屋内側に位置する障子２の上部よりも低くなるように傾斜している。
【００２５】
次に、開いている障子２の上面となる室外側の面２ｂ上に、網材３を載置する。このとき、網材３の網３０が取り付けられている側、すなわち、面ファスナー５の雄係止要素５ｂが突出している側を上側に向け、網材３の網材フレーム３１側を障子２側となる下側に向けて載置する（載置ステップ）。
【００２６】
次に、図３に示すように、網材３を障子２の室外側の面２ｂ、及び、左右のガイド９に沿って下方に移動し、図６（ｂ）に示すように、網材３の下端部３ａを収容部開口１２ｊから収容部１２ｃ内に挿入する(挿入ステップ)。
【００２７】
次に、図６（ｃ）に示すように、障子２を閉じることにより、障子２と共に載置されている網材３も移動する。このとき、網材３の下端部３ａは、収容部１２ｃ内にて載置部材６上に載置され、網材３は障子２と共に鉛直方向に沿う姿勢となる。このとき、網材３の面ファスナー５の雄係止要素５ｂが枠体１０の面ファスナー５の雌係止要素５ａに係止され、網材３が枠体１０取り付けられる(係止ステップ)。このため、図６（ｄ）に示すように、障子２を再び開いても網材３は枠体１０に取り付けられている状態が維持される。枠体１０に取り付けられた網材３は、下端部３ａの網材フレーム３１の室内側の面が、室内延出部１２ｇに当接または近接して対向し、網材３の室外側の面が、上端延出部１２ｉの先端に当接または近接して対向する。
【００２８】
本実施形態の建具１によれば、枠体１０が備える開口１０ａを覆う網材３を、開口１０ａの室内側に設けられた載置部材６に載置し、開口１０ａの室内側に設けられた面ファスナー５の雌係止要素５ａに網材３の面ファスナー５の雄係止要素５ｂが係止されて網材３が開口１０ａを覆うので、網材３を開口１０ａよりも室外側に移動させることなく枠体１０に取り付けることが可能である。このため、より取り付け易い網材３を備えた建具１を提供することが可能である。また、網枠開口３１ｃは、枠体１０が形成する開口１０ａよりも小さく形成されているので、障子２を閉じた際には、室内側から開口１０ａを形成する枠体１０は見え難いので意匠性にも優れている。
【００２９】
また、枠体１０は、障子２を開いた状態で、障子２の上面２ｂの延長線上に、網材３の下端部３ａが収容され、載置部材６を備えた収容部１２ｃを有しているので、開いている障子２の上に網材３を載置し、網材３を下方に移動させることにより下端部３ａを、載置部材６が設けられている収容部１２ｃ内に収容することが可能である。
【００３０】
また、網材３は、下端部３ａが収容部１２ｃに収容された状態で、障子２と共に揺動可能であり、障子２を閉じた状態で、載置部材６に載置されて網材３の面ファスナー５の雄係止要素５ｂが枠体１０の面ファスナー５の雌係止要素５ａに係止される。このため、下端部３ａを収容した状態で障子２を閉じることにより、網材３の下端部３ａを載置部材６に載置し、網材３の面ファスナー５の雄係止要素５ｂを枠体１０の面ファスナー５の雌係止要素５ａに係止することが可能である。すなわち、障子２を閉じることにより網材３を枠体１０に取り付けることが可能である。
【００３１】
また、障子２に対する網材３の位置及び傾きを補正するガイド９が障子２に設けられているので、網材３を障子２に対する適切な姿勢にて障子２上に載置し、下端部３ａを収容部１２ｃに収容することが可能である。
【００３２】
また、上記実施形態においては、網材フレーム３１の室外側の面に、面ファスナー５の雄係止要素５ｂが矩形状をなすように設けられ、枠体１０の室内側に、面ファスナー５の雌係止要素５ａが開口１０ａに沿うようにコ字状に設けられている例について説明したが、これに限るものではない。例えば、網材フレーム３１には、室外側の面の四隅など、網材フレーム３１における周縁部の一部に面ファスナー５の雄係止要素５ｂが設けられており、枠体１０には、障子２と共に移動して鉛直方向に沿う姿勢となった状態の網材３の面ファスナー５の雄係止要素５ｂと対向する位置に、面ファスナー５の雌係止要素５ａが設けられている形態であっても、網材３を枠体１０に係止可能であれば構わない。
【００３３】
また、網材３を、雌係止要素５ａ及び雄係止要素５ｂでなる面ファスナー５で枠体１０に係止するので、枠体１０の雌係止要素５ａに網材３の雄係止要素５ｂを押圧するだけで網材３を枠体１０に取り付けることが可能である。また、網材３の枠体１０からの取り外しも容易である。ここで、面ファスナー５は、網材３に雌係止要素５ａ、枠体１０に雄係止要素５ｂが設けられていても構わない。
【００３４】
また、本実施形態の網材３の固定方法によれば、開いている障子２の上に網材３を載置し、スライドさせて下端部３ａを収容部１２ｃ内に収容し、障子２を閉じることにより、網材３の下端部３ａを載置部材６に載置し、雄係止要素５ｂを雌係止要素５ａに係止することが可能である。このため、網材３を障子２上に載置して障子２を閉じるだけで網材３を枠体１０に容易に取り付けることが可能である。
【００３５】
上記実施形態においては、網材３を案内するガイド９のガイド部９ａが、縦框材２３の長手方向に沿う下ガイド部９ｂと、下ガイド部９ｂと繋がって傾斜する上ガイド部９ｃとを有している例について説明したが、これに限るものではない。例えば、図７（ａ）に示すように、ガイド部９０ａが縦框材２３の長手方向に沿う中間ガイド部９０ｂと、中間ガイド部９０ｂの上下にそれぞれ上端または下端に向かって框体２０の外周側に位置するように傾斜する傾斜ガイド部９０ｃを有しており、障子２の室外側の面２ｂに取り付け可能なガイド９であっても構わない。
【００３６】
この場合には、左右の縦框材２３に同一のガイド９０を取り付けることができるので、コストを抑えることが可能である。また、図７（ｂ）に示すように、左右の縦框材２３の室外側に長手方向に沿って突出する突起片２３ａを、網材３を案内するガイドとしても構わない。この場合には、部材の点数及び組み立て工数を減らすことにより、更にコストを抑えることが可能である。
【００３７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００３８】
本実施形態には、少なくとも以下の発明が含まれる。
室内側に開く障子と、前記障子の下端部を揺動自在に支持し、前記障子により閉止される開口を備えた枠体と、前記開口を前記障子の室外側にて覆う網、及び、前記網の外周部に設けられ前記網より剛性が高い縁部、を有する網材と、を有し、前記枠体は、前記開口の室内側に前記網材の載置部と、前記開口を覆う状態で前記網材を係止する係止部と、を有し、前記縁部は、前記係止部に係止される被係止部を有することを特徴とする建具である。
【００３９】
このような建具によれば、枠体が備える開口を覆う網材を、開口の室内側に設けられた載置部に載置し、開口の室内側に設けられた係止部に被係止部が係止されて網材が開口を覆うので、網材を開口よりも室外側に移動させることなく枠体に取り付けることが可能である。このため、より取り付け易い網材を備えた建具を提供することが可能である。
【００４０】
かかる建具であって、前記枠体は、開いた状態の前記障子における上面の延長線上に、前記網材の下端部が収容され、前記載置部を備えた収容部を有し、前記網材は、開いた前記障子上に載置されると共に前記下端部が前記収容部に収容された状態で、前記障子と共に揺動可能であり、前記障子を閉じた状態で、前記載置部に載置されて前記被係止部が前記係止部に係止されていることを特徴とする。
【００４１】
このような建具によれば、枠体は、開いた状態の障子における上面の延長線上に、網材の下端部が収容され、載置部を備えた収容部を有しているので、開いている障子の上に網材を載置し、網材をスライドさせることにより下端部を、載置部が設けられている収容部内に収容することが可能である。また、網材は、下端部が収容部に収容された状態で、障子と共に揺動可能であり、障子を閉じた状態で、載置部に載置されて被係止部が係止部に係止されるので、下端部を収容した状態で障子を閉じることにより、網材の下端部を載置部に載置し、被係止部を係止部に係止することが可能である。すなわち、障子を閉じることにより網材を枠体に取り付けることが可能である。
【００４２】
かかる建具であって、前記障子には、当該障子に対する前記網材の傾きを補正するガイドが設けられていることを特徴とする。
このような建具によれば、障子に対する網材の傾きを補正するガイドが障子に設けられているので、網材を障子に対する適切な姿勢にて障子上に載置し、下端部を収容部に収容することが可能である。
【００４３】
かかる建具であって、前記係止部は、面ファスナーの雄係止要素及び雌係止要素のうちのいずれか一方であり、前記被係止部は、前記雄係止要素及び前記雌係止要素のうちの他方であることを特徴とする。
【００４４】
このような建具によれば、係止部と被係止部との一方が、面ファスナーの雄係止要素であり、他方が面ファスナーの雌係止要素なので、枠体の係止部に網材の被係止部を押圧するだけで面材を枠体に取り付けることが可能である。また、面材の枠体からの取り外しも容易である。
【００４５】
また、上記建具における前記網材の固定方法であって、開いている前記障子上に前記網材を載置する載置ステップと、前記障子を閉じて前記網材を前記載置部に載置し、前記被係止部を前記係止部に係止する係止ステップと、を有することを特徴とする網材の固定方法である。
【００４６】
このような網材の固定方法によれば、開いている障子の上に網材を載置し、スライドさせて下端部を収容部内に収容し、障子を閉じることにより、網材の下端部を載置部に載置し、被係止部を係止部に係止することが可能である。このため、網材を障子上に載置して障子を閉じるだけで網材を枠体に容易に取り付けることが可能である。
【符号の説明】
【００４７】
１  建具、２  障子、２ｂ  障子の上面（室外側の面）、２ｃ  被支持部、
３  網材、３ａ  下端部、５  面ファスナー、５ａ  雌係止要素、
５ｂ  雄係止要素、６  載置部材、９  ガイド、１０  枠体、
１０ａ  開口、１２ｃ  収容部、突起片２３ａ、３０  網、３１  網材フレーム、
９０  ガイド、
【図１】
2020186575.tif 000003
【図２】
2020186575.tif 000004
【図３】
2020186575.tif 000005
【図４】
2020186575.tif 000006
【図５】
2020186575.tif 000007
【図６】
2020186575.tif 000008
【図７】
2020186575.tif 000009